(57)【要約】【課題】被処理水と水処理膜の両方の特性からファウリングの起こりやすさを予測し、適切な水処理膜を選定することを可能とする水処理膜の評価方法を提供する。【解決手段】水処理膜の親疎水性を表す指標Ａを求める工程と、被処理水に含まれる菌体の親疎水性を表す指標Ｂを求める工程と、指標Ａと指標Ｂから、水処理膜への菌体の付着性を表す指標Ｘを求める工程とを有する水処理膜の評価方法であって、指標Ａとして、水処理膜の構成材料から形成されたフィルムの空気接触角θｍ（°）を用い、指標Ｂとして、菌体の水接触角θｂ（°）を用い、下記式（１）に基づき指標Ｘを求めることを特徴とする水処理膜の評価方法。    Ｘ＝ｅｘｐ（−（（θｍ−０．５５θｂ−１１０）／２２．６）2）  ・・・（１）【選択図】なし【特許請求の範囲】
【請求項１】
水処理膜の親疎水性を表す指標Ａを求める工程と、
被処理水に含まれる菌体の親疎水性を表す指標Ｂを求める工程と、
前記指標Ａと前記指標Ｂから、前記水処理膜への前記菌体の付着性を表す指標Ｘを求める工程とを有する水処理膜の評価方法であって、
前記指標Ａとして、前記水処理膜の構成材料から形成されたフィルムの空気接触角θｍ（°）を用い、
前記指標Ｂとして、前記菌体の水接触角θｂ（°）を用い、
下記式（１）に基づき前記指標Ｘを求めることを特徴とする水処理膜の評価方法。
Ｘ＝ｅｘｐ（−（（θｍ−０．５５θｂ−１１０）／２２．６）2）  ・・・（１）
【請求項２】
水処理膜の親疎水性を表す指標Ａを求める工程と、
被処理水に含まれる菌体の親疎水性を表す指標Ｂを求める工程と、
前記菌体の初期の増殖性能を表す指標Ｃを求める工程と、
前記指標Ａと前記指標Ｂと前記指標Ｃから、長期における前記水処理膜への前記菌体の付着量を見積もる工程を有する水処理膜の評価方法であって、
前記指標Ａとして、前記水処理膜の構成材料から形成されたフィルムの空気接触角θｍ（°）を用い、
前記指標Ｂとして、前記菌体の水接触角θｂ（°）を用い、
前記指標Ｃとして、前記菌体を含む溶液中にポリエーテルスルホンフィルムを１２時間浸漬した後の前記菌体の前記フィルムの表面占有率Ｓ（％）を用い、
下記式（２）に基づき、１３５時間後の前記水処理膜への前記菌体の付着量Ｙ（μｍ3／μｍ2）を求めることを特徴とする水処理膜の評価方法。
Ｙ＝Ｋ（０．０３６６＋０．９６４×ｅｘｐ（−（（θｍ−０．５５θｂ−１１０）／２２．６）2））  ・・・（２）
（上記式（２）において、Ｓが４．０％未満の場合はＫは４．９であり、Ｓが４．０％以上の場合はＫは３４である。）
【発明の詳細な説明】
【技術分野】
【０００１】
本発明は、浄水処理、下水処理、し尿処理、廃水処理、海水淡水化等の水処理に用いられる膜の評価方法に関するものである。
【背景技術】
【０００２】
膜を用いた水処理技術は、現在様々な分野で用いられている。水処理膜は、その孔径によって、精密ろ過膜（ＭＦ膜）、限外ろ過膜（ＵＦ膜）、ナノろ過膜（ＮＦ膜）、逆浸透膜（ＲＯ膜）等に分類され、例えば、浄水処理では固液分離のためにＭＦ膜を用いた処理が行われたり、下水処理やし尿処理では高濃度の活性汚泥処理と固液分離を兼ねたＭＦ膜を用いた処理が行われたり、海水淡水化や超純水製造ではＲＯ膜を用いた処理が行われたりしている。
【０００３】
ところで膜を用いた水処理では、原水中に含まれる溶質が膜表面や膜内部に吸着・堆積することにより膜の目詰まりが生じて、膜の透水性能が低下することが起こる。このような現象は「ファウリング」と呼ばれており、膜処理技術においては避けて通れない大きな技術課題の一つとなっている。従来、ファウリングの低減のために様々な検討がなされており、例えば特許文献１には、膜処理に供される被処理水の水質を評価して、この評価結果に基づき被処理水を膜ファウリング物質処理手段で処理して、膜処理を行う方法が開示されている。
【先行技術文献】
【特許文献】
【０００４】
【特許文献１】特開２００８−１９４５６０号公報
【発明の概要】
【発明が解決しようとする課題】
【０００５】
ファウリングの原因としては、特許文献１にも記載されるように、被処理水の水質に起因する部分が一つ挙げられるが、別の大きな要素としては水処理膜の物性に起因する部分もある。つまり、ファウリングを抑えるためには、被処理水と水処理膜の両方について適切に評価をし、それに基づき対応をすることが重要となる。
【０００６】
本発明は前記事情に鑑みてなされたものであり、その目的は、被処理水と水処理膜の両方の特性からファウリングの起こりやすさを予測し、適切な水処理膜を選定したり、水処理設備の設計諸元を把握することを可能とする水処理膜の評価方法を提供することにある。
【課題を解決するための手段】
【０００７】
前記課題を解決することができた本発明の水処理膜の評価方法とは、水処理膜の親疎水性を表す指標Ａを求める工程と、被処理水に含まれる菌体の親疎水性を表す指標Ｂを求める工程と、指標Ａと指標Ｂから、水処理膜への菌体の付着性を表す指標Ｘを求める工程とを有する水処理膜の評価方法であって、指標Ａとして、水処理膜の構成材料から形成されたフィルムの空気接触角θｍ（°）を用い、指標Ｂとして、菌体の水接触角θｂ（°）を用い、下記式（１）に基づき指標Ｘを求めるところに特徴を有する。
Ｘ＝ｅｘｐ（−（（θｍ−０．５５θｂ−１１０）／２２．６）2）  ・・・（１）
【０００８】
本発明によれば、指標Ａと指標Ｂから上記式（１）に基づき指標Ｘを求めることにより、被処理水の性状、すなわち、被処理水に含まれる菌体の種類に応じて、ファウリングが起こりにくい水処理膜を選定することができる。従って、膜を用いて水処理を行う際に、事前に指標Ａと指標Ｂを求めることにより、ファウリングの起こりにくい適切な水処理膜を選定することが可能となる。
【０００９】
本発明はまた、水処理膜の親疎水性を表す指標Ａを求める工程と、被処理水に含まれる菌体の親疎水性を表す指標Ｂを求める工程と、菌体の初期の増殖性能を表す指標Ｃを求める工程と、指標Ａと指標Ｂと指標Ｃから、長期における水処理膜への菌体の付着量を見積もる工程を有する水処理膜の評価方法であって、指標Ａとして、水処理膜の構成材料から形成されたフィルムの空気接触角θｍ（°）を用い、指標Ｂとして、菌体の水接触角θｂ（°）を用い、指標Ｃとして、菌体を含む溶液中にポリエーテルスルホンフィルムを１２時間浸漬した後の菌体のフィルムの表面占有率Ｓ（％）を用い、下記式（２）に基づき、１３５時間後の水処理膜への菌体の付着量Ｙ（μｍ3／μｍ2）を求めることを特徴とする水処理膜の評価方法も提供する。
Ｙ＝Ｋ（０．０３６６＋０．９６４×ｅｘｐ（−（（θｍ−０．５５θｂ−１１０）／２２．６）2））  ・・・（２）
（上記式（２）において、Ｓが４．０％未満の場合はＫは４．９であり、Ｓが４．０％以上の場合はＫは３４である。）
【００１０】
指標Ａと指標Ｂに加え指標Ｃを求めることにより、上記式（２）に基づき、１３５時間後の水処理膜への菌体の付着量Ｙ（μｍ3／μｍ2）を求めることができる。このように長期における水処理膜への菌体の付着量Ｙを見積もることができれば、水処理設備の設計段階で水処理膜の洗浄頻度を予め設定することが可能となり、被処理水量に応じた適切な膜処理面積を確保したり、適切な水処理運転シーケンスを構築することの事前検討が簡単に行えるようになる。
【発明の効果】
【００１１】
本発明の水処理膜の評価方法によれば、水処理膜の構成材料と被処理水の性状を事前に測定することで、実際に当該水処理膜を用いて当該被処理水を処理した場合にどの程度ファウリングが起こりやすいかを予測することができる。従って、ファウリングの起こりにくい水処理膜の選定が可能となり、また、水処理設備の設計段階で水処理膜の洗浄頻度を予め設定することが可能となる。
【図面の簡単な説明】
【００１２】
【図１】特定の菌体を含む被処理水に水処理膜の構成材料から形成されたフィルムを浸漬したときの、フィルムの空気接触角θｍと面積当たりのバイオフィルム形成量（各フィルム間の相対値）との相関を表すグラフである。
【図２】特定の菌体を含む被処理水に水処理膜の構成材料から形成されたフィルムを浸漬したときの、フィルムの空気接触角θｍと面積当たりのバイオフィルム形成量（μｍ3／μｍ2）との相関を表すグラフである。
【発明を実施するための形態】
【００１３】
本発明は、ファウリングの起こりやすさを予測可能とする水処理膜の評価方法に関するものであり、具体的には、水処理膜の構成材料と被処理水（水処理膜によって処理される水；原水）の性状を事前に測定することで、実際に当該水処理膜を用いて当該被処理水を処理した場合にどの程度ファウリングが起こりやすいかを予測可能とするものである。
【００１４】
膜を用いた水処理では、長期間処理を継続すると、原水中に含まれる溶質が膜表面や膜内部に吸着・堆積して膜の目詰まりが発生し、透水性能が低下することが知られている。このような現象は一般に「ファウリング」と呼ばれており、ファウリングの原因物質としては、無機塩類、フミン酸や脂肪酸等の低分子有機化合物、粘土や泥等の粒子やコロイド物質、微生物やその代謝物等が知られている。これらの中でも、微生物やその代謝物が原因で引き起こされるファウリングは「バイオファウリング」と呼ばれ、特に重視されている。ファウリングは、水処理膜を定期的に洗浄することにより、過度にファウリングが進行しないように管理されているが、バイオファウリングでは特に強固に水処理膜の表面に付着物や堆積物が形成されやすく、それを洗浄することが膜を用いた水処理を行う上で重要となる。従って、膜を用いた水処理では、バイオファウリングの生成をできるだけ抑制することが、大きな技術課題の一つとなっている。
【００１５】
このような事情のもと、本発明者らが検討を重ねた結果、バイオファウリングは水処理膜の材質と被処理水の性状に大きく影響を受けることが明らかになり、事前に水処理膜の材質と被処理水の性状の特定の物性を把握することにより、バイオファウリングの起こりやすさを予測できることを見出した。具体的には、バイオファウリングの主な原因は、膜表面に付着した菌体が集団となることで形成されるバイオフィルムであるといわれているが、菌体の膜表面への付着性が、水処理膜の親疎水性を表す指標Ａと、前記水処理膜に供給される被処理水に含まれる菌体の親疎水性を表す指標Ｂから予測できることが分かった。すなわち、本発明の水処理膜の評価方法は、水処理膜の親疎水性を表す指標Ａを求める工程と、被処理水に含まれる菌体の親疎水性を表す指標Ｂを求める工程と、指標Ａと指標Ｂから、水処理膜への菌体の付着性を表す指標Ｘを求める工程とを有するものであり、本発明によれば、この指標Ｘの値に基づいてバイオファウリングの起こりやすさを予測することができる。
【００１６】
水処理膜の親疎水性を表す指標Ａとしては、水処理膜の構成材料から形成されたフィルムの空気接触角θｍを用いる。親疎水性を評価する指標としては、水接触角が一般によく知られている。水接触角は、水処理膜の上に水滴を載せて水処理膜と水滴との接触角を測ることで知ることができ、接触角が小さいほど水処理膜の親水性が高いこととなる。しかし、本発明者らが水処理膜と水滴との水接触角を測定したところ、水接触角は水処理膜の乾燥状態や表面状態に大きく影響を受けることが明らかとなった。従って、本発明では、これらの影響を排除してできるだけ正確に水処理膜の親疎水性を評価するために、水処理膜の構成材料から形成されたフィルムの空気接触角θｍを用いることとした。
【００１７】
水処理膜の構成材料から形成されたフィルムは、水処理膜を構成する材料からフィルム形成することにより得ることができる。例えば、水処理膜を構成するポリマーを溶融してプレスしたり、あるいはポリマーを溶媒に溶かしてガラス板上に塗布したりして、薄いフィルム状に形成する。また、市販品があれば、市販のフィルムを用いてもよい。
【００１８】
空気接触角θｍは、水処理膜の構成材料から形成されたフィルムを水中で水平に広げて、フィルムの下側に空気を供給して、空気とフィルムとの接触角を測定することにより求める。
【００１９】
本発明者らが、代表的な水処理膜の構成材料として、ポリビニルアルコール（ＰＶＡ）、酢酸セルロース（ＣＡ、酢化度４０％）、ポリエーテルスルフォン（ＰＥＳ）、ポリフッ化ビニリデン（ＰＶＤＦ）、ポリテトラフルオロエチレン（ＰＴＦＥ）のそれぞれについて、空気接触角θｍを実際に測定した結果を表１に示す。なお、ＰＶＡ、ＣＡ、ＰＥＳについては、１５質量％の濃度となるように、それぞれ純水、Ｎ，Ｎ−ジメチルホルムアミド、Ｎ−メチルピロリドンに溶解してポリマー溶液を調製し、１０００μｍのアプリケーターを用いてガラス板上にキャストし、窒素雰囲気下６０℃で１２時間、次いで真空下１００℃で６時間乾燥を行った後、純水に浸漬させることにより、フィルムを得た。ＰＶＤＦは、２１０℃、８．５ａｔｍの条件で２分間ホットプレスすることにより、フィルムを得た。ＰＴＦＥについては、市販品（日東電工社製）のフィルムを用いた。
【００２０】
【表１】
2014079673.tif 000002
【００２１】
表１に示すように、空気接触角θｍは、ＰＴＦＥ＜ＰＶＤＦ＜ＰＥＳ＜ＣＡ＜ＰＶＡの順番で大きくなる。従って、表１に示した水処理膜の構成材料の中では、ＰＴＦＥが最も疎水性が強く、ＰＶＡが最も親水性が強いこととなる。なお、空気接触角θｍの測定値にばらつきが生じる場合は、複数の測定値の平均値を空気接触角θｍとして用いればよい。
【００２２】
被処理水に含まれる菌体の親疎水性を表す指標Ｂとしては、菌体の水接触角θｂを用いる。菌体の水接触角θｂは、被処理水に含まれる菌体をマット状に形成し、菌体マットの上に水滴を載せて、菌体マットと水滴との接触角を測ることで知ることができる。菌体マットは、孔径０．４５μｍの平板状の膜（メルク（メルクミリポア）社製、「ＭＦ−ミリポア」（登録商標）ＨＡＷＰ  ０４７００）を用いて被処理水を吸引ろ過し、２時間室温で静置し乾燥させることにより形成する。
【００２３】
例えば、特定の菌体の水接触角θｂを測定すると、表２に示すような結果が得られる。なお、表２の結果を得るにあたり、菌体の水接触角θｂは次のように菌体マットを作成して測定した。すなわち、菌体をＴＳＢ培地で３０℃で１８時間培養した後、４０ｍＬの培養液が入った１００ｍＬの蓋付三角フラスコに１／５０植菌を行って３０℃で８時間培養した上で、菌体数が１０7〜１０8ｃｅｌｌｓ／ｍＬとなるように調整することにより菌体液を調製し、この菌体液を吸引ろ過することで菌体マットを作成し、この菌体マットの水接触角θｂを測定した。被処理水中の菌体量が不十分な場合は、このように菌体を培養して菌体マットを作製してもよい。水接触角θｂの測定値にばらつきが生じる場合は、複数の測定値の平均値を水接触角θｂとして用いればよい。
【００２４】
【表２】
2014079673.tif 000003
【００２５】
本発明の水処理膜の評価方法では、上記に説明したように、指標Ａとして、水処理膜の構成材料から形成されたフィルムの空気接触角θｍを求め、指標Ｂとして、被処理水に含まれる菌体の水接触角θｂを求めることで、水処理膜への菌体の付着性を表す指標Ｘを求める。指標Ｘは下記式（１）に基づき求められ、菌体の膜表面への堆積のしやすさを表す。指標Ｘは、０から１の値をとり、値が大きいほど菌体が膜表面に堆積しやすいことを表す。
Ｘ＝ｅｘｐ（−（（θｍ−０．５５θｂ−１１０）／２２．６）2）  ・・・（１）
【００２６】
本発明によれば、上記式（１）に基づき指標Ｘを求めることで、被処理水の性状（具体的には、被処理水に含まれる菌体の種類）に応じて、ファウリングが起こりにくい水処理膜を選定することができる。例えば、被処理水中に菌体として大腸菌（E. coli）のみが含まれる場合（この場合、θｂは１８．７（°）となる）は、水処理膜として酢酸セルロース（ＣＡ）を用いると指標Ｘは約１．０となるのに対し、それより疎水性の高いポリテトラフルオロエチレン（ＰＴＦＥ）を用いると指標Ｘは０．０５と算出され、それより親水性の高いポリビニルアルコール（ＰＶＡ）を用いると指標Ｘは０．３６と算出される。従ってこの場合は、水処理膜の構成材料としてＰＴＦＥやＰＶＡを用いる方が、ＣＡを用いるよりもファウリングが起こりにくくなる。
【００２７】
図１には、表１に示した材料で構成されるフィルムを表２に示した菌体をそれぞれ含む被処理水に浸漬した場合に、実際に計測されたバイオフィルム形成量の測定結果を示す。図１では、表２に示したそれぞれの菌体について、空気接触角θｍとバイオフィルム形成量との相関がグラフで表されており、さらに、上記式（１）に基づく関数が重ね合わせて示されている。なお、図１に示したグラフはそれぞれ、各菌体を含む被処理水にフィルムを浸漬したときの面積当たりのバイオフィルム形成量が、各フィルム間の相対値で示されている。
【００２８】
バイオフィルムの形成はフローセル培養により行った。すなわち、フローセル（BioSurface Technologies社製、ＦＣ８１）内に、菌体を付着させるフィルム（水処理膜の構成材料から形成したフィルム：水処理膜フィルム）が下面になるように設置し、そこに菌体液を供給し、３０℃で１時間静置した。なお、菌体液は、それぞれの菌体をＴＳＢ培地で３０℃で１８時間培養した後、４０ｍＬの培養液が入った１００ｍＬの蓋付三角フラスコに１／５０植菌を行って３０℃で８時間培養した上で、菌体数が１０7〜１０8ｃｅｌｌｓ／ｍＬとなるように調整することにより、調製した。次に、フローセルを上下反転させて水処理膜フィルムがフローセルの上面になるように設置し、そこに菌体を含まないＴＳＢ培地を３０℃で１３５時間、流速０．２ｍＬ／分で供給し続けることで、水処理膜フィルム上にそれぞれの菌体のバイオフィルムを形成させた。
【００２９】
バイオフィルム形成量の測定は、共焦点レーザー顕微鏡（ＣＬＳＭ）により行った。水処理膜フィルム上に形成されたバイオフィルムを、Invitrogen社製のLIVE/DEAD Bacterial Viability Kitを用いて蛍光染色して、生菌体を判別可能な状態とした。そして、これを共焦点レーザー顕微鏡（ＣＬＳＭ）により、水処理膜フィルム表面から高さ方向に任意の距離ごとに平面蛍光画像を取得し、これらの画像を積層・再構築することで、水処理膜フィルム上に形成されたバイオフィルムの三次元画像を得て、単位面積当たりのバイオフィルム形成量（μｍ3／μｍ2）を算出した。
【００３０】
図１の結果から、いずれの菌体を対象とした場合でも、上記式（１）に基づく関数によって、水処理膜フィルムの空気接触角θｍとバイオフィルム形成量との相関関係が比較的フィット性良く表せることが分かる。従って、上記式（１）に基づいて指標Ｘを算出することで、被処理水の性状に応じた適切な水処理膜を選定することができる。なお大まかな傾向として、親疎水性が中程度の酢酸セルロース（ＣＡ）やポリエーテルスルフォン（ＰＥＳ）を用いた場合に、バイオフィルムの形成量が増え、指標Ｘが比較的高い値を示した。
【００３１】
本発明によれば、例えば、膜を用いない既存の水処理設備を膜を用いた設備に更新する際に、ファウリングの起こりにくい水処理膜を適切に選定することを可能とする。例えば、既存の水処理設備の活性汚泥（活性汚泥には菌体が多数含まれる）の水接触角を測定することで、ファウリングの起こりにくい水処理膜の構成材料を選定することができる。また、新規に水処理設備を作る際は、被処理水中に含まれる菌体、あるいは、被処理水の処理性能を有する菌体の水接触角を測定することで、ファウリングの起こりにくい水処理膜の構成材料を選定することができる。また本発明によれば、このように選定した水処理膜を用いて、好適に水処理を行うことができるようになる。
【００３２】
次に、上記の指標Ａと指標Ｂに加え、菌体の初期の増殖性能を表す指標Ｃから、長期における水処理膜への菌体の付着量を見積もる水処理膜の評価方法について説明する。指標Ｃを用いた水処理膜の評価方法は、長期にわたって膜を用いて水処理を行った場合にどの程度の量の菌体が水処理膜に付着するのか、その付着量を見積もる方法に関するものである。すなわち、指標Ｃを用いた水処理膜の評価方法は、水処理膜の親疎水性を表す指標Ａを求める工程と、被処理水に含まれる菌体の親疎水性を表す指標Ｂを求める工程と、菌体の初期の増殖性能を表す指標Ｃを求める工程と、指標Ａと指標Ｂと指標Ｃから、長期における水処理膜への菌体の付着量Ｙを見積もる工程を有するものである。
【００３３】
菌体の初期の増殖性能を表す指標Ｃとしては、菌体を含む溶液中にポリエーテルスルフォン（ＰＥＳ）フィルムを１２時間浸漬した後の菌体のＰＥＳフィルムの表面占有率Ｓ（％）を用いる。図１に示したように、水処理膜の構成材料としてＰＥＳを用いると、バイオフィルムの形成量が高くなる傾向を示す。従って、菌体の初期の増殖を促す点から、指標Ｃを求めるに当たり、参照材料としてＰＥＳから構成されたフィルムを用いることとする。指標Ｃとしては、具体的には、菌体数が１０7〜１０8ｃｅｌｌｓ／ｍＬに調整された菌体液にＰＥＳフィルムを３０℃で１２時間浸漬して静置培養し、浸漬後のＰＥＳフィルムを共焦点レーザー顕微鏡（ＣＬＳＭ）により測定して、生菌体のＰＥＳフィルムの表面占有率Ｓ（％）を求める。菌体液の調製方法、共焦点レーザー顕微鏡（ＣＬＳＭ）による測定方法の詳細は、上記に説明した通りである。なお、表面占有率Ｓは、ＰＥＳフィルム表面からの高さが０（測定限界上実質０）のときの平面蛍光画像から解析して求める。
【００３４】
例えば、表２に示した菌体について、１２時間浸漬後のＰＥＳフィルムの表面占有率Ｓを求めると、下記の表３のような結果が得られる。表面占有率Ｓの測定値にばらつきが生じる場合は、複数の測定値の平均値を表面占有率Ｓとして用いればよい。
【００３５】
【表３】
2014079673.tif 000004
【００３６】
指標Ａと指標Ｂと指標Ｃを求めることにより、下記式（２）に基づき、１３５時間後の水処理膜への菌体の付着量Ｙ（μｍ3／μｍ2）、すなわちバイオフィルム形成量を求めることができる。下記式（２）において、対数関数部分は上記の指標Ｘと同じである。つまり、１３５時間後の水処理膜への菌体の付着量Ｙは、指標Ｘの一次変換により求めることができる。
Ｙ＝Ｋ（０．０３６６＋０．９６４×ｅｘｐ（−（（θｍ−０．５５θｂ−１１０）／２２．６）2））  ・・・（２）
【００３７】
上記式（２）において、指標Ｃとして表面占有率Ｓが４．０％未満の場合は、Ｋは４．９となり、指標Ｃとして表面占有率Ｓが４．０％以上の場合は、Ｋは３４となる。つまり、初期のＰＥＳフィルムの表面占有率Ｓが小さい菌体は、上記式（２）の比例定数Ｋも小さい値となり、結果的に長期（１３５時間後）の水処理膜への菌体付着量Ｙも少ないものとなる。初期のＰＥＳフィルムの表面占有率Ｓが大きい菌体は、上記（２）の比例定数Ｋも大きい値となり、結果的に長期（１３５時間後）の水処理膜への菌体付着量Ｙが飛躍的に多いものとなる。表２に示した菌体では、大腸菌（E. coli）とリグニン分解菌（S. paucimobilis）を用いた場合に、比例定数Ｋが大きい値をとり、菌体付着量Ｙが多くなる。
【００３８】
図２には、図１に示した結果について、バイオフィルム形成量（菌体付着量）の実測結果（空気接触角θｍとバイオフィルム形成量との相関）を示す。なお図２では、各菌体を含む被処理水にフィルムを浸漬したときの膜面積当たりのバイオフィルム形成量が絶対値（単位：μｍ3／μｍ2）で示されており、さらに、上記式（２）に基づく関数が重ね合わせて示されている。
【００３９】
図２の結果から、上記式（２）に基づく関数によって、１３５時間後の水処理膜への菌体の付着量Ｙ（μｍ3／μｍ2）を比較的精度良く見積もることができることが分かる。このように長期における水処理膜への菌体の付着量Ｙを見積もることができれば、水処理設備の設計段階で水処理膜の洗浄頻度を予め設定することが可能となり、被処理水量に応じた適切な膜処理面積を確保したり、適切な水処理運転シーケンスを構築することの事前検討を簡単に行えるようになる。
【００４０】
以上、本発明の水処理膜の評価方法について説明したが、本発明が適用可能な水処理膜に特に制限はない。水処理膜において、ファウリングはどの孔径の膜でも起こり得ることであり、特にバイオファウリングは、膜表面にバイオフィルムが形成することにより引き起こされるものであることから、水処理膜の構成材料に大きく影響を受けると考えられる。従って、本発明の評価方法は、精密ろ過膜（ＭＦ膜）、限外ろ過膜（ＵＦ膜）、ナノろ過膜（ＮＦ膜）、逆浸透膜（ＲＯ膜）等のいずれの水処理膜にも適用することができる。
【産業上の利用可能性】
【００４１】
本発明は、浄水処理、下水処理、し尿処理、廃水処理、海水淡水化、超純水製造等の水処理に用いられる膜の評価に使用することができる。
【図１】
2014079673.tif 000005
【図２】
2014079673.tif 000006